(57)【要約】      （修正有）【課題】養蜂家が養蜂箱を開けることなく蜂蜜を採集可能であり、蜂蜜採集過程において、蜜蜂が蜂の巣セルに押し付けられることを防止する蜂蜜自動流出ハニカムを提供する。【解決手段】本考案に係る押付け防止の蜂蜜自動流出ハニカムは、ホルダーとアッパビームを含み、前記アッパビームにはスイングアームが設けられ、前記ホルダーの底部には蜂蜜受け溝が設けられ、前記ホルダーには、いくつかの縦方向設置される四辺ハチの巣列５といくつかの縦方向設置される両辺ハチの巣列６が設けられ、前記四辺ハチの巣列５と両辺ハチの巣列６とが相互に配合することを特徴とする。【選択図】図８
0003210863.tif 000002
【実用新案登録請求の範囲】
【請求項１】
押付け防止の蜂蜜自動流出ハニカムであって、
前記押付け防止の蜂蜜自動流出ハニカムは、ホルダー（１）とアッパビーム（２）を含み、前記アッパビーム（２）にはスイングアーム（４）が設けられ、前記ホルダー（１）の底部には蜂蜜受け溝（３）が設けられ、前記ホルダー（１）には、いくつかの縦方向設置される四辺ハチの巣列（５）と、いくつかの縦方向設置される両辺ハチの巣列（６）が設けられ、
前記四辺ハチの巣列（５）と両辺ハチの巣列（６）とが相互に配合されることを特徴とする押付け防止の蜂蜜自動流出ハニカム。
【請求項２】
前記四辺ハチの巣列（５）は、波状の第１フレーム（５１）を含み、
前記第１フレーム（５１）の両側には、それぞれ、第１フィン（５２）からなる第１フィンアレイが設けられ、
前記第１フィン（５２）の交互に設置される前記第１フレーム（５１）の両側には、前記両辺ハチの巣列（６）は、波状の第２フレーム（６１）を含むことを特徴とする請求項１に記載の押付け防止の蜂蜜自動流出ハニカム。
【請求項３】
前記第１フィン（５２）の底部には傾斜に設置される流動傾斜面（５２１）が設けられていることを特徴とする請求項２に記載の押付け防止の蜂蜜自動流出ハニカム。
【考案の詳細な説明】
【技術分野】
【０００１】
本考案は、養蜂器具に関し、より具体的には、押付け防止の蜂蜜自動流出ハニカムに関する。
【背景技術】
【０００２】
従来の市販されている蜂蜜自動流出ハニカムは、ホルダーを備える。ホルダーには複数の蜂の巣列が配列されている。隣接する２つの蜂の巣列は六角形の複数の蜂の巣セルを構成する。六角形の蜂の巣セルは、その中間位置で切られている。蜂蜜を採集するとき、隣接する２つの蜂の巣列のうち一方を上に移動させることで、六角形の蜂の巣セルをずらし、隙間をつくり、その隙間から蜜蜂を流出させることができる。しかしながら、ずらした後の蜂の巣内に十分な空間が残されていないため、蜂の巣をずらす時に蜂の巣セルの内部に居る蜜蜂は、蜂の巣セルに押し付けられ、死亡してしまう場合がある。これは、養蜂家に対して、損失を引き起こす。
【考案の概要】
【考案が解決しようとする課題】
【０００３】
本考案は、主に、既存技術の技術問題を解決し、それにより、蜂の巣内に蜜蜂が残されている状態で蜜蜂を採集した場合でも、蜜蜂が蜂の巣セルに押し付けられることを防止することができる押付け防止の蜂蜜自動流出ハニカムを提供する。
【課題を解決するための手段】
【０００４】
本考案の上記技術問題は、以下の技術案により解決される。
【０００５】
押付け防止の蜂蜜自動流出ハニカムであって、前記押付け防止の蜂蜜自動流出ハニカムは、ホルダーとアッパビームを含み、前記アッパビームにはスイングアームが設けられ、前記ホルダーの底部には蜂蜜受け溝が設けられ、前記ホルダーには、いくつかの縦方向設置される四辺ハチの巣列と、いくつかの縦方向設置される両辺ハチの巣列が設けられ、前記四辺ハチの巣列と両辺ハチの巣列とが相互に配合される。
【０００６】
本考案の好ましい実施例として、前記四辺ハチの巣列は、波状の第１フレームを含み、前記第１フレームの両側には、それぞれ、第１フィンからなる第１フィンアレイが設けられ、前記第１フィンの交互に設置される前記第１フレームの両側には前記ハチの巣列が配置され、前記両辺ハチの巣列は、波状の第２フレームを含む。
【０００７】
本考案の好ましい実施例として、前記第１フィンの底部には傾斜に設置される流動傾斜面が設けられている。
【考案の効果】
【０００８】
本考案に係る押付け防止の蜂蜜自動流出ハニカムは、以下のメリットを有する。２種の異なるハチの巣列のいずれかの一本が外力の作用で上へ移動し、六角形のセルがずれる時、蜂蜜がずれたスリットに沿って底部の蜂蜜受け溝に流れ込む。六角形のセルは、スリット側に向かって下方に傾斜する流動傾斜面（底面）を備える。これにより、六角形のセルをずらしたときに、セルに貯蔵されていた蜂蜜が下方に向かって流れ出る速度を有効的に早くすることができる。ずれた後に、四辺ハチの巣列の空間は、蜜蜂のために十分な空間を残し、セルに蜂蜜をつくる蜜蜂が押し付けられないことを保証し、それと共に、セルには花粉があっても、両辺ハチの巣列が運動する時に発生する摩擦力を大幅に低減させ、使用を影響しない。
【０００９】
当該押付け防止の蜂蜜自動流出ハニカムは、構造が簡単であり、効果が明らかであり、コストが低く、実用性が強い。
【図面の簡単な説明】
【００１０】
【図１】図１は、本考案に係る押付け防止の蜂蜜自動流出ハニカムの構成模式図である。
【図２】図２は、図１における押付け防止の蜂蜜自動流出ハニカムの操作模式図であり、スイングアームが回動していない状態を示す。
【図３】図３は、図１における押付け防止の蜂蜜自動流出ハニカムの操作模式図であり、スイングアームが回動する向きを示す。
【図４】図４は、図１における押付け防止の蜂蜜自動流出ハニカムの四辺ハチの巣列の構成模式図である。
【図５】図５は、図１における押付け防止の蜂蜜自動流出ハニカムの両辺ハチの巣列の構成模式図である。
【図６】図６は、図４における四辺ハチの巣列のＡ領域の細部拡大模式図である。
【図７】図７は、本考案に係る押付け防止の蜂蜜自動流出ハニカムの使用模式図であり、四辺ハチの巣列と両辺ハチの巣列との閉合状態を示す図である。
【図８】図８は、本考案に係る押付け防止の蜂蜜自動流出ハニカムの使用模式図であり、四辺ハチの巣列と両辺ハチの巣列との分離状態を示す図である。
【考案を実施するための形態】
【００１１】
以下、図面を参照しながら、本考案の好ましい実施例を詳しく説明する。これにより、本考案のメリット及び特徴を当業者に理解させ、本考案の保護範囲を明確に限定する。なお、これらの図面は、本考案に係る実施例や既存技術を説明する図面であり、当業者が進歩性に値する思考、労働をしない前提で、これらの図面に基づいてそのほかの図面を得られる。
【００１２】
図１乃至図６に示すように、本考案の一実施形態に係る押付け防止の蜂蜜自動流出ハニカムは、ホルダー１とアッパビーム２とを含む。アッパビーム２にはスイングアーム４が設けられる。ホルダー１の底部には蜂蜜受け溝３が設けられる。ホルダー１には、縦方向に設置される複数の四辺ハチの巣列５と、縦方向設置される複数の両辺ハチの巣列６とが設けられる。四辺ハチの巣列５と両辺ハチの巣列６とは交互に一列に配列される。
【００１３】
四辺ハチの巣列５は、波状（連続する山形状）の第１フレーム５１を備える。第１フレーム５１の両側（表面と裏面と）には、それぞれ複数の第１フィン５２が設けられる。複数の第１フィン５２は、第１フレーム５１の縦方向に沿って、一方の側（表面）と他方の側（裏面）とに交互に設けられる。一方の側に設けられる複数の第１フィン５２は第１フィンアレイを構成する。他方の側に設けられる複数の第１フィン５２は第１フィンアレイを構成する。第１フィン５２が交互に設置される第１フレーム５１の両側には両辺ハチの巣列６が配置される。両辺ハチの巣列６は、波状（連続する山形状）の第２フレーム６１を備える。
【００１４】
第１フィン５２の底部には傾斜に設置される流動傾斜面５２１が設けられている。つまり、四辺ハチの巣列５と両辺ハチの巣列６とから構成される六角形のハチの巣セルの底壁となる、第１フィン５２の流動傾斜面５２１は、第１フレーム５１から外側、下方に向かって傾斜している。
【００１５】
図３は、閉合状態での蜂蜜自動流出ハニカムを示す。閉合状態において、２本の隣接するハチの巣列は、図７に示すように完全な六角形のハチの巣セルを形成する。具体的には、ハチの巣セルは、断面六角形の筒体であり、第１フレーム５１は六角形のハチの巣セルの一方の側壁をなし、第２フレーム６１は六角形のハチの巣セルの他方の側壁をなし、第１フィン５２は、六角形のハチの巣セルの上壁と下壁とを兼用する。ハチの巣セルの断面形状は、典型的には正六角形状であり、第１フレーム５１、第２フレーム６１及び第１フィン５２は、ハチの巣セルが正六角形状になるように、その寸法が設計されている。蜜蜂は、この六角形セル内に蜂蜜を貯蔵し、花粉を採集する。
【００１６】
本考案に係る蜂蜜自動流出ハニカムを使用するとき（蜂蜜を採集するとき）、使用者はスイングアーム４をハニカムの上方におけるスイングアーム孔に扁平状に挿入する。図４に示すように、使用者がスイングアームを９０度回動することにより、四辺ハチの巣列５の両側の両辺ハチの巣列６が上へセルの高さ半分の距離を移動する。これにより、図８に示すように、六角形のセルは崩れ、四辺ハチの巣列５と両辺ハチの巣列６との間にスリットが生じる。六角形のセルに貯蔵された蜂蜜は、このスリットから下方に流れ出し、底部の蜂蜜受け溝３に流れ込む。
【００１７】
２種の異なるハチの巣列５，６のいずれかの一本が外力の作用で上へ移動され、六角形のセルがずれる時、六角形のセルに生じた、つまり四辺ハチの巣列５と両辺ハチの巣列６との間のスリットに沿って、蜂蜜が流れ出す。第１フィン５２の傾斜した流動傾斜面５２１により、六角形のセルから流れ出した蜂蜜の、底部の蜂蜜受け溝３に流れ込む流動速度を有効的に早くすることができる。ずれた後に、四辺ハチの巣列５の空間は、蜜蜂のために十分な空間を残し、セルに蜂蜜をつくる蜜蜂が押し付けられないことを保証し、それと共に、セルには花粉があっても、両辺ハチの巣列６が移動される時に発生する摩擦力を大幅に低減させ、使用を影響しない。換言すると、本考案のように、形状の異なる２種のハチの巣列５，６で六角形のセルを構成することで、蜂蜜を貯蔵するときの、四辺ハチの巣列５と両辺ハチの巣列６との接合（密着）による六角形のハチの巣セルの内部空間は、蜂蜜を採集するときに、四辺ハチの巣列５と両辺ハチの巣列６とが分離した状態でも、その形状を大きく変化させず、また、六角形のセルの壁面が内部空間に食い込むことを回避する。これにより、蜂蜜を採集するときに、六角形セルの内部空間に蜜蜂が居た場合であっても、蜜蜂が六角形セルの壁面に押し付けられることを回避することができる。
【００１８】
当該蜂蜜自動流出ハニカムに四辺ハチの巣列５と両辺ハチの巣列６とを取り付ける場合、四辺ハチの巣列５及び両辺ハチの巣列６を交互に取り付け、２種のハチの巣列５，６のうち、いずれか一種を固定し、他種が可動状態である。換言すると、２種のハチの巣列５，６のうち、一方はホルダー１に固定され、他方はホルダー１に対して上下方向に移動自在に設けられる。可動状態であるハチの巣列は、スイングアーム４の回動により、典型的には上方向にセルの高さ半分と等価な距離移動される。蜂蜜自動流出ハニカムに２種のハチの巣列５，６を取り付けた後に、養蜂家は、押付け防止の蜜蜂自動ハニカムを養蜂箱に入れて、蜜蜂が蜂蜜をつくることを待つ。蜂蜜をつくった後、養蜂家がスイングアーム４を挿入し、９０度回動させることで、２種のハチの巣列５，６のうち両辺ハチの巣列６が上方向にずれ、六角形のハチの巣セルの形状が崩れ、２種のハチの巣列５，６の間にスリットが生じる。このスリットを介して、六角形のハチの巣セルから流れ出た蜂蜜が、装置底部の蜂蜜受け溝３に流入し、蜂蜜を養蜂箱の外部に流出させることができる。これにより、本考案の課題が根本的に解決される。つまり、養蜂家が養蜂箱を開けることなく蜂蜜を採集することを実現し、その蜂蜜を採集する過程で蜜蜂が六角形のハチの巣セルに押し付けられることを回避することができる。
【００１９】
当該押付け防止の蜂蜜自動流出ハニカムは、構造が簡単であり、効果が明らかであり、コストが低く、実用性が高い。
【００２０】
ここに限定されず、何らかの進歩性に値する労働をしなくとも、想到する変化や、置換は、いずれも、本考案の保護範囲に含まれる。そのため、本考案の保護範囲は、請求項の限定した保護範囲を基準とする。
【符号の説明】
【００２１】
１…ホルダー、２…アッパビーム、３…蜂蜜受け溝、４…スイングアーム、５…四辺ハチの巣列、５１…第１フレーム、５２…第１フィン、５２１…流動傾斜面、６…両辺ハチの巣列、６１…第２フレーム。
【図１】
0003210863.tif 000003
【図２】
0003210863.tif 000004
【図３】
0003210863.tif 000005
【図４】
0003210863.tif 000006
【図５】
0003210863.tif 000007
【図６】
0003210863.tif 000008
【図７】
0003210863.tif 000009
【図８】
0003210863.tif 000010